(57)【要約】【課題】  複数の電子機器の複合製品の消費電力を適切に管理できるようにする。【解決手段】  それぞれが異なる機能を備えた複数の電子機器で構成される電子機器群１０１の各電子機器毎に、所定時間使用しない場合に自動的に動作電源の供給を遮断するように動作電源の供給を制御するための情報と、各機器毎の消費電力値とをメモリ１１３に記憶させておき、使用している機器毎に、前記消費電力値をメモリ１１３から読み出して表示手段１１４で表示させると共に、使用している機器の電源供給制御情報を読み出して、その情報に基づいて、動作電源の供給を制御する。  【選択図】図３
2006236532.tif 000002
【特許請求の範囲】
【請求項１】
それぞれ異なる機能を実行する複数の機器を含む電子機器群と、
前記電子機器群の複数の機器に動作電力を提供する電源供給手段と、
表示手段と、
メモリ手段と、
このメモリ手段に予め記憶された、前記電源供給手段から前記電子機器群の前記複数の機器への動作電力の供給を制御する条件を示す情報と、前記各電子機器の消費電力を示す情報を読み出して、前記条件を示す情報に基づいて前記動作電力の供給を制御すると共に、前記動作電力が供給されている機器の消費電力を前記表示手段で表示させる制御手段と、
を具備したことを特徴とする電子装置。
【請求項２】
前記動作電力の供給を制御する条件は、所定時間当該機器を使用しなかった場合にその動作電源の供給を自動的に遮断することを含むものであることを特徴とする請求項１に記載の電子装置。
【請求項３】
前記動作電力の供給を制御する条件は、前記動作電源の供給を自動的に遮断した場合に、遮断したことを通知することを含むものであることを特徴とする請求項２に記載の電子装置。
【請求項４】
前記動作電力の供給を制御する条件は、各機器毎に当該機器を使用するか否かの条件を含み、前記制御手段は、使用すると条件が付された機器に動作電力を供給すると共に、その消費電力の合計を前記表示手段で表示するものであることを特徴とする請求項１乃至３のいずれかに記載の電子装置。
【請求項５】
前記動作電力の供給を制御する条件を示す情報は、所定時間当該機器を使用しなかった場合に前記動作電力の供給を自動的に遮断するか否かを示す情報と、自動的に遮断する場合に、遮断することを通知するか否かを示す情報を含むものであることを特徴とする請求項１乃至４のいずれかに記載の電子装置。
【請求項６】
それぞれ異なる機能を実行する複数の機器を含む電子機器群の各機器に対して、動作電力を供給する電子装置の動作電力制御方法であって、
前記各電子機器毎に、前記動作電力の供給を制御する条件を示す情報と、消費電力情報をメモリ手段に予め記憶させるステップと、
このメモリ手段に予め記憶された、前記電子機器群の前記複数の機器への動作電力の供給を制御する条件を示す情報と、前記各機器群の消費電力を示す情報を読み出して、前記条件に基づいて前記動作電力の供給を制御すると共に、前記動作電力が供給されている機器の消費電力を表示手段で表示させるステップと、
を具備したことを特徴とする電子装置の消費電力制御方法。
【請求項７】
前記動作電力の供給を制御する条件を示す情報は、所定時間当該機器を使用しなかった場合に前記動作電力の供給を自動的に遮断するか否かを示す情報と、自動的に遮断する場合に、遮断することを通知するか否かを示す情報を含むものであることを特徴とする請求項６に記載の電子装置の消費電力制御方法。
【発明の詳細な説明】
【技術分野】
【０００１】
この発明は、例えばそれぞれ異なる記録媒体にコンテンツを記録し再生することが可能な複数の記録再生機器を搭載した装置等、それぞれ異なる機能を実行する複数の機器の複合体としての電子装置に関する。
【０００２】
また、この発明は、搭載した複数の機器の消費電力を適切に管理できるようにした電子装置の消費電力制御方法に関する。
【背景技術】
【０００３】
昨今、商品化されている記録再生機器としては、例えばＤＶＤ（Digital Versatile Disk）レコーダを主体に、さらに記録媒体としてＨＤＤ（Hard Disk Drive）を搭載したり、あるいはＶＴＲ（Video Tape Recorder）の機能をそのまま搭載して、異なる複数の記録媒体へのコンテンツの記録再生を可能としたいわゆる複合的な装置が主力になってきている。
【０００４】
さらに、そのような記録媒体へ記録するコンテンツとしては、各記録再生機器の記録媒体の再生信号として提供されるいわゆるダビング場合の他、放送信号で提供されるのが一般的であり、アナログ放送用チューナあるいはデジタル放送用チューナで放送を受信してコンテンツを取得するように構成される。
【０００５】
あるいはまた、ブロードバンドのインターネットを使って画像データを含むコンテンツを取得することも広く普及しつつある。
【０００６】
したがって、記録再生装置としても、それらコンテンツを入手するための、例えばアナログチューナ、デジタルチューナ、あるいはＬＡＮ（Local Area Network）アダプタを備えたものとして構成されることになる。
【０００７】
このように、記録再生装置を例にとってその中身を見てみると、異なる記録媒体に対する複数の記録再生機器の他、コンテンツを取得するための手段としても複数の機器で構成されていることが解る。
【０００８】
このような複数の電子機器を搭載した電子装置において、全ての機器を同時に動作させるということは、稀であり、動作させていない機能まで、電力を供給することは無駄であり、特に装置がバッテリで駆動されるような構成のものにおいては、動作していない機器に関しては電力の供給を停止する等、きめ細かい管理をする必要がある。
【０００９】
加えて、各機器を動作させた際に、消費電力がどのようになるかを、目視できればユーザにとって消費電力を管理し易くなるものであるが、従来それを実現した装置は存在していなかった。
【００１０】
例えば、特許文献１には、未使用回路の電源を切断し、それを表示させるようにした提案がなされているが、消費電力を提示することまでは開示されていない。
【特許文献１】特開平５−２３３０８８号公報
【発明の開示】
【発明が解決しようとする課題】
【００１１】
以上説明したように、それぞれ異なる機能を実現する複数の電子機器を搭載した電子装置において、各機器毎の動作電力供給の適切な制御と、それによる消費電力の提示を実現した機能の提供が強く要望されている。
【００１２】
この発明は、以上の点に対処してなされたものであり、各機器毎に、一定時間使用されない場合に、自動的に電力の供給を遮断することができるように構成すると共に、使用中の機器の消費電力値を表示するようにして、無駄な電力の消費を抑制することを可能にした電子装置及びその消費電力制御方法を提供することを目的とする。
【課題を解決するための手段】
【００１３】
この発明に係わる電子装置は、それぞれ異なる機能を実行する複数の機器を含む電子機器群と、前記電子機器群の複数の機器に動作電力を提供する電源供給手段と、表示手段と、メモリ手段と、このメモリ手段に予め記憶された、前記電源供給手段から前記電子機器群の前記複数の機器への動作電力の供給を制御する条件を示す情報と、前記各電子機器の消費電力を示す情報を読み出して、前記条件を示す情報に基づいて前記動作電力の供給を制御すると共に、前記動作電力が供給されている機器の消費電力を前記表示手段で表示させる制御手段と、を具備したことを特徴とする。
【００１４】
またこの発明に係わる電子装置の消費電力制御方法は、それぞれ異なる機能を実行する複数の機器を含む電子機器群の各機器に対して、動作電力を供給する電子装置の動作電力制御方法であって、前記各電子機器毎に、前記動作電力の供給を制御する条件を示す情報と、消費電力情報をメモリ手段に予め記憶させるステップと、このメモリ手段に予め記憶された、前記電子機器群の前記複数の機器への動作電力の供給を制御する条件を示す情報と、前記各機器群の消費電力を示す情報を読み出して、前記条件に基づいて前記動作電力の供給を制御すると共に、前記動作電力が供給されている機器の消費電力を表示手段で表示させるステップと、を具備したことを特徴とする。
【発明の効果】
【００１５】
本発明によれば、ユーザが、各機器に毎に所定時間使用しない場合に、自動的に電力の供給を遮断するように設定することができるため、電力の無駄な消費を抑制することができるものである。
【００１６】
また、使用中の機器の消費電力の合計が表示されるので、ユーザにとって使い勝手のよい電子装置を提供することができるものである。
【００１７】
さらに、使っていない機器は電源が遮断されているため、他の機器へ妨害となる信号を放射することなく信号の品位を高く保つことが可能となるものである。
【発明を実施するための最良の形態】
【００１８】
以下、この発明に係わる電子装置の一実施の形態について、図面を参照して詳細に説明する。  
図１は、この発明に係わる電子装置１００の概略構成を示す回路ブロック図である。図１の電子装置１００は、複数の電子機器で構成される電子機器群１０１を備える。電子機器群１０１は、ＤＶＤドライブ１０２と、ハードディスクドライブ（ＨＤＤ）１０３と、ビデオカセットレコーダ１０４と、アナログチューナ１０５と、デジタルチューナ１０６と、ゴースト除去回路１０７と、ＬＡＮ（Local Area Network）アダプタ１０８と、ＥＰＧ（Electronic Program Guide）回路１０９とで構成される。
【００１９】
電子機器群１０１の各機器１０２〜１０９には、電源供給部１１０から、機器別電源供給手段１１１を介して、個々に電源が供給されるものであるが、その電源供給については、制御部１１２によって制御される。
【００２０】
制御部１１２は、例えばＭＰＵ（Micro Processing Unit）で構成され、メモリ１１３が接続されている。メモリ１１３は、機器別電源供給手段を制御するためのプログラムが保存されているＲＯＭ（Read Only Memory）領域と、作業エリアとしてのＲＡＭ（Random Access Memory）領域と、ユーザが設定したデータを保存する不揮発性メモリ領域を備える。
【００２１】
さらに、制御部１１２には、機能操作設定表示部１１４が接続されている。この機能操作設定表示部１１４は、電子機器群１０１の各機器毎に、電源供給の設定をするためにユーザに提供されるＧＵＩ（Graphical User Interface）形式の画像を表示するように構成されるものであるが詳細については追って説明する。
【００２２】
さらに、制御部１１２には、赤外線を受光する受光部１１５が接続され、リモートコントローラ１１６から送信される信号を受け、これを制御信号として制御部１１２に導出する。リモートコントローラ１１６は、機能操作設定表示部１１４に表示される制御項目に対して、ユーザが設定し登録するための機能を備えており、機能操作設定表示部１１４と対で用いられる。
【００２３】
機能操作設定表示部１１４は、電子機器群１０１から出力される映像コンテンツを表示するために用いられる映像モニタとして構成することも可能であるが、単に制御項目の設定にのみ適用される小型の表示手段で構成することもできる。
【００２４】
さらに、制御部１１２には、電子機器群１０１から、各機器１０２〜１０９の動作状態を示す信号が入力されている。
【００２５】
本発明に係わる電子装置１００を構成する各部の機能についてさらに説明する。制御部１１２は、メモリ１１３に蓄積された設定データに基づいて電子機器群１０１の各機器１０２〜１０９の電源のオンあるいは切断（オフ）を制御するもので、具体的には、その電子機器を使用する（電源をオンする）か、使用しない（電源をオフする）かの制御と、所定時間その機器を使用しない場合に、電源を自動的に切断する制御、及び電源を自動的に切断する場合に、ユーザに通知を行うか行わないかの制御を行い、さらに制御部１１２は、電源を遮断するまでの時間の制御を行う。
【００２６】
さらに制御部１１２は、使用しないと設定された機器に対して何らかの操作が行われた場合に、電源を自動的にオンさせるかあるいは、電源をオフしたままとするかの制御を行う。
【００２７】
それら制御の各項目の設定データは、機能操作設定表示部１１４に表示されるＧＵＩ形式の画面に基づいて、ユーザが設定し、メモリ１１３に登録される。この目的のため、ユーザは機能操作設定表示部１１４の画面を見ながらリモートコントローラ１１６を操作して、それら設定項目の設定を行う。さらにリモートコントローラ１１６によって、各機器１０２〜１０９の消費電力値を数値として入力することも可能である。
【００２８】
さらに制御部１１２は機器別電源供給手段１１１を制御すると同時に機能操作設定表示部１１４に、各機器の消費電力値を図形、絵、記号、文字のうち少なくとも一つを用いて表示するように制御する。同様に制御部１１２は、ユーザが各機器１０２〜１０９毎の設定内容を変更するときや、現設定での消費電力の表示要求があった際に、その現設定での消費電力値を表示するように制御する。メモリ１１３はユーザが設定した項目データの他、各機器１０２〜１０９の消費電力値を格納する。
【００２９】
また、制御部１１２は、電子機器群１０１の各機器１０２〜１０９の使用状況を監視しており、特定の機能が一定時間使用されない場合に該当機器への電源供給を遮断するよう機器別電源供給手段１１１を制御し、機能操作設定表示部１１４を通じて電源供給を遮断したことをユーザに通知することができる。
【００３０】
電子機器群１０１の各機器１０２〜１０９は、それぞれ周知の機器であり、ここでは簡単にその機能を説明する。
【００３１】
ＤＶＤドライブ１０２は、ＤＶＤを記録媒体として、映像及び音声データを所定のフォーマットで記録し、これを再生する機能を有する。
【００３２】
また、ハードディスクドライブ１０３は、例えばデジタルチューナ１０６から得られるＭＰＥＧ（Moving Picture Experts Group）２のＴＳ（Transport Stream）をそのまま記録し、再生する機能を有する。
【００３３】
ビデオカセットレコーダ１０４は、いわゆるＶＨＳ（Video Home System）（登録商標）方式のテープレコーダであり、例えばアナログチューナ１０５から出力されるアナログ映像信号及び音声信号を変調して記録し、再生する機能を有する。
【００３４】
アナログチューナ１０５は、アナログ放送を受信してベースバンドのテレビジョン信号を出力する。
【００３５】
デジタルチューナ１０６は、デジタル放送を受信して、例えばＭＰＥＧ２フォーマットのＴＳ信号を出力する他、データ放送のデータを分離抽出して出力したり、さらにはＥＰＧデータを分離抽出する機能を備える。
【００３６】
ゴースト除去回路１０７は、放送信号を受信するアンテナに、放送信号が時間的にずれた状態で到達するような受信環境にある場合、その時間的ずれを解消して画面表示の品位を高める機能を有する。通常は、時間のずれを修正するため遅延手段としてのメモリを含む。
【００３７】
ＬＡＮアダプタ１０８は、いわゆるインターネットに接続するためのアダプタであり、例えば電話回線を介して外部のサーバに接続されるものである。
【００３８】
さらに、ＥＰＧ回路は、デジタルチューナ１０６から抽出されたＥＰＧデータを復号して、表示のための放送番組表を構築する機能を有する。
【００３９】
さて、次に、機能操作設定表示部１１４を用いて、電子機器群１０１の各機器毎に、電源供給の制御の条件を設定する手順について説明する。図２は、能操作設定表示部１１４によって表示されるＧＵＩ形式の画面表示例を示すものであり、画面２０１の左上位置に、設定を行う機器名２０２が表示される。図２の例では、ＤＶＤドライブ１０２が選択されていることを示している。この選択は、例えば電子機器群１０１のリストを画面２０１に表示して、ユーザがリモートコントローラ１１６を操作することで選択することが可能である。
【００４０】
さらに、画面２０１では、使用時の消費電力の表示２０２がなされ、ＤＶＤドライブ１０２の使用時の消費電力が５Ｗであることを示している。この消費電力表示２０２で表示される数値は、ユーザがリモートコントローラ１１６を操作して入力することができる。なお、この消費電力の表示は、値を正確に表示するものではなく、概略値で表示させるようにしてもよい。このため数字で示すことの他に、特定の記号、図形等で表示することも可能である。
【００４１】
さらに、画面２０１では、使用状況２０３と、電源自動制御設定２０４と時間設定２０５が表形式で表示されている。
【００４２】
使用状況２０３は、ＤＶＤドライブ１０２を使用するか使用しないかを設定する項目であり、図２の例では「使用する」に斜線で示すフォーカスが位置しており、ＤＶＤドライブ１０２が使用されるように設定されていることを示している。すなわち、ＤＶＤドライブ１０２は電源がオンとなっており、使用中である。
【００４３】
さらに、電源自動制御設定２０４は、当該機器（この場合ＤＶＤドライブ１０２）を所定時間使わないでいた場合に、電源を自動的に遮断するか否か、及び電源を切断する前にユーザに通知するか否かを設定する項目である。また、時間設定２０５は、電源を切断するまでの時間を設定する項目である。
【００４４】
電源自動制御設定２０４は、選択項目として３つの項目を有しており、
「自動切断し通知しない」は時間設定２０５で設定された時間、未使用の場合には、ユーザに通知することなく自動的に電源を切断することを意味している。また、「自動切断し通知する」は時間設定２０５で設定された時間、未使用の場合には、ユーザに通知してから電源を切断することを意味している。また、「自動切断しない」は、常に電源をオンさせるように設定することを意味している。
【００４５】
図２の例では、「自動切断し通知しない」にフォーカスが位置しており、自動切断するが通知は行わないように設定されている状態を示している。
【００４６】
さらに、時間設定２０５として「３０分」にフォーカスが位置しているため、３０分全く動作しなかった場合に、その機器（ＤＶＤドライブ１０２）の電源を切断するように設定されていることを示している。
【００４７】
また、「使用しない」が選択された場合に、使用時に自動的に電源をオンさせることを許可するか、全く使用を禁止するかを設定できるように構成されており、図２の例では、使用時に自動的に電源をオンさせるように設定されていることを示している。
【００４８】
したがって、図２の例では、ＤＶＤドライブ１０２が現在使用中であり、その消費電力はおよそ５Ｗで、３０分間全く使用しなかった場合には、ユーザに通知することなく自動的に電源が遮断される。さらに、電源が遮断された後、再び何らかの操作を行った場合には自動的に電源がオンするように設定されていることを示している。
【００４９】
さらに画面２０１には、電子機器群１０１の他の使用中の機器の消費電力を含めた全体の消費電力の表示２０６がなされており、この例の場合では、合計で３０Ｗの電力が消費されていることを示している。  
図２の画面２０１で設定された項目のデータは、メモリ１１３に記憶される。
【００５０】
また、図２の画面２０１は、電子機器群１０１の機器の使用、不使用を選択切換えするために使用することも可能である。すなわち、使用していない機器の設定画面を表示させて、リモートコントローラ１１６を操作して「使用する」に切換えれば、その機器に電力が供給されることになり、逆に使用中の機器の設定画面を表示させて「使用しない」に切換えれば、電源の供給を停止させることが可能である。
【００５１】
当然ながら、全体の消費電力表示２０６は、機器の「使用する」「使用しない」の切換えで、その値が変化するものである。例えば、ＤＶＤドライブ１０２を「使用しない」に切換えた場合、５Ｗ分が差し引かれて表示される。
【００５２】
図３に、図２の消費電力表示２０６で表示される合計消費電力の計算フローチャートを示す。  
電子機器群１０１の各機器１０２〜１０９の消費電力をそれぞれｗ１，ｗ２，…ｗｎとする（ステップＳ３０１）。この値は、図２の画面２０１で、消費電力値表示２０２としてユーザによって入力されメモリ１１３に蓄積されていたものである。
【００５３】
次に、メモリ１１３に記憶された、各機器１０２〜１０９毎の使用状況の設定値を取り込む（ステップＳ３０２）。次に、各機器１０２〜１０９毎に、使用状況が「使用する」になっているか否かを判定（ステップＳ３０３）し、「使用する」機器をＷｎ＝|ｗｎ|とし、「使用しない」となっている機能に関してはＷｎ＝０とする（ステップＳ３０４，Ｓ３０５）。
【００５４】
次に、合計消費電力Ｗ=Ｗ１＋Ｗ２＋…Ｗｎを計算（ステップＳ３０６）し、Ｗを図２で示す消費電力値２０２として表示する（ステップＳ３０７）。さらに使用状況が変更されたか否かの判定を行って、変更された場合にはステップＳ３０２に戻る。
【００５５】
制御部１１２は、機能操作設定表示部１１４を用いて、電子機器群１０１の各機器１０２〜１０９毎の使用状況の一覧表示をさせることができるものであり、図４にその表示例を示す。
【００５６】
図４において、画面４０１左に、使用している機器のリスト４０２が表示され、画面右に使用していない機器のリスト４０３が表示され、画面４０１の中央上部に、使用している機器の消費電力の合計値４０４が表示されている。
【００５７】
制御部１１２は、電子装置１００の電源投入時や機能操作設定表示部１１４で設定を変更したときに、メモリ１１３に格納されている使用状況の情報を、図４に示す一覧画面４０１として一定時間表示させることができる。
【００５８】
さらに、制御部１１２は、機器の使用状況を変更した場合、その変更情報を、図４に示す画面４０１に反映させて表示させる。例えば、ＤＶＤドライブ１０２の使用状況の設定を「使用する」から「使用しない」に変更した後で使用機器一覧画面４０１を呼び出すと、ＤＶＤドライブは使用している機器のリスト４０２ではなく、使用していない機器のリスト４０３に表示される。その場合、ＤＶＤドライブの消費電力を約５Ｗとすると、消費電力の合計値は約２５Ｗと表示されることになる。
【００５９】
図５に各機器１０２〜１０９の使用状況の一覧表示の他の例を示す。図５において、画面５０１には、図４と同様に、画面左に使用している機器のリスト５０２が表示され、画面右には使用していない機器のリスト５０３が表示されている。さらに、画面５０１上部には、「使用する」と設定されている機器の各消費電力の合計が、グラフ状にアナログ表示５０４されている。
【００６０】
表示５０４は、０Ｗから最大消費電力値の目安である５０Ｗが表示されており、斜線部分は「使用する」と設定されている機器の各消費電力の合計をその面積として示している。
【００６１】
例えば、ユーザがＤＶＤドライブ１０２の使用状況の設定を「使用する」から「使用しない」に変更した後で、図５に示す使用状況一覧画面５０１を呼び出すと、ＤＶＤドライブは、使用している機器のリスト５０２ではなく、使用していない機器のリスト５０３に表示される。
【００６２】
ＤＶＤドライブの消費電力の分、合計消費電力が小さくなるので、表示５０４の斜線部の先端が０Ｗ側に近付くことになる。使用する機器を減らせば減らすほど、斜線部分の先端は０Ｗに近付くことになる。逆に、使用していないリスト５０３に表示されている機器の使用状況の設定を「使用しない」から「使用する」に変更すれば斜線部分の先端は５０Ｗに近付いていく。
【００６３】
全ての機器の使用状況を「使用する」にした場合、消費電力合計５４が５０Ｗになっているのであれば斜線部分の先端が５０Ｗの位置で表示されるようになるが、消費電力合計が５０Ｗより低い値（例えば４５Ｗ）となっていれば、その分５０Ｗよりも０Ｗに近い位置に斜線部分の先端が表示されることになる。
【００６４】
図６は、制御部１１２によって、各機器毎に設定された使用しない時間によってその電源を自動的に遮断する処理をフローチャートで示すものである。処理としてはまず、制御部１１２は、メモリ１１３に蓄積されている各機器の電源自動制御設定情報を読み込み（ステップＳ６０１）、設定が自動切断するになっているか否かの判定がなされ（ステップＳ６０２）、自動切断しないと設定されていた場合には処理を終了する。
【００６５】
自動切断すると設定されていた場合には、時間計測手段を初期化して時間の計測を開始する（ステップＳ６０３）。
【００６６】
次に、機器が操作されたか否かの判定を行い（ステップＳ６０４）、機器が操作された場合には、ステップＳ６０３に戻る。機器の操作がない場合、電源切断を通知する設定になっているか否かの判定が行われ（ステップＳ６０５）、通知しないと設定されている場合には、計測時間が設定値になったか否かの判定がなされ（ステップＳ６０６）、設定値に到達していない場合には、ステップＳ６０４に戻り、設定値に到達したら機器の電源を遮断する（ステップＳ６０７）。
【００６７】
また、電源切断を通知する設定になっていた場合には、設定時間の所定時間前になったか否かの判定がなされ（ステップＳ６０８）、未だ所定時間前にならない場合には、ステップＳ６０４に戻る。設定時間の所定時間前になったことが判定されたら、所定時間後に機器の電源を遮断することを、機能操作設定部１１４で表示させる（ステップＳ６０９）。
【００６８】
このとき、ユーザが設定を変更したか否かの判定がなされ（ステップＳ６１０）、変更した場合にはステップＳ６０１に戻り、設定を変更しない場合には、計測時間が設定時間になった際に機器の電源を遮断する（ステップＳ６０６，６０７）。
【００６９】
以上説明した各処理を、各電子機器それぞれについて実行することで、設定した時間に基づいて、機器の電源を自動的に遮断することが可能となるものである。
【００７０】
図７は、機能操作設定部１１４で表示される、電源が遮断されることをユーザに通知するためのメッセージの例を示す。すなわち、図７に示すように、画面７０１には、機器電源切断警告の表示の下、アナログチューナの電源がおよそ１分後に切断されることを示すメッセージ７０２が表示されている。ユーザはこの表示を確認して、アナログチューナの電源をオンのままにしておきたい場合には、例えば、設定を変更することで対応可能である。あるいは、アナログチューナに対して何らかの操作を行うことで、電源をオンに保持することも可能である。
【００７１】
図８は、この発明に係わる電子装置の他の実施の形態を示す回路ブロック図であり、図１に示す回路ブロックと同一構成部分に同一符号を付す。図８の回路ブロックにおいては、電子装置８００は、電子機器群１０１の内に、外部入力選択回路８０１が追加されていることを特徴としている。この外部入力選択回路８０１は、外部の例えば衛星放送受信用のチューナから供給されるコンテンツを選択して、各記録媒体に記録すべく導出することが可能であり、他の機器と同様に、使用状況、電源自動制御設定、時間設定及び使用時に自動的に電源をオンさせるかあるいは使用禁止にするかの設定ができるものである。
【００７２】
図９は、図８に示す実施の形態も含めて、電子機器群１０１の各機器毎の設定の内容と消費電力をリストにして表示したものである。図９に示すように、画面９０１の最も左の列９０２には、機器名が表示され、次の列９０３には、使用状況が表示されている。すなわち使用中か、不使用かを表示している。
【００７３】
次の３列９０４，９０５，９０６は、電源自動切断に関する情報が表示されている。すなわち、列９０４は、電源自動切断を実施するか否かを示すデータが表示され、次の列９０５は、機器が使用されなかった場合の電源遮断までの時間データを示し、次の列９０６は、電源遮断時にユーザに通知するか否かのデータが表示されている。
【００７４】
さらに、次の列９０７は、使用していない状態で、機器に何らかの操作を加えた場合に、自動的に電源をオンさせる否かのデータが表示され、最後の列７０８は、各機器の消費電力が表示されている。
【００７５】
以上説明したように、本発明の電子機器によれば、電源自動切断に関する設定情報に基づいて、設定した時間経過しても使用実績がない機器においては、設定情報に基づいてユーザに通知するかあるいは通知しないで当該機器の電源を遮断するように構成し、さらに使用中の機器の総合消費電力を表示するようにしたので、使い勝手が向上するものである。
【００７６】
さらに、動作を必要としない機器については、その動作電力の供給を遮断するようにしたので、必要な信号がノイズによる悪影響を受けるのを抑制することができるものである。
【００７７】
なお、本発明は以上説明した実施の形態に限定されるものではなく、趣旨を逸脱しない範囲で種々変形可能である。例えば、機器を所定時間使わなかった場合に動作電力を遮断する場合、前もってユーザに通知するものとして説明したが、遮断した後で通知するように構成することもできるものである。
【図面の簡単な説明】
【００７８】
【図１】この発明に係わる電子装置の一実施の形態を概略的に示す回路ブロック図。
【図２】この発明に係わる電子装置の動作を説明するために示す図。
【図３】この発明に係わる電子装置の動作を説明するために示すフローチャート。
【図４】この発明に係わる電子装置の動作を説明するために示す図。
【図５】この発明に係わる電子装置の他の実施の形態の動作を説明するために示す図。
【図６】この発明に係わる電子装置の動作を説明するために示すフローチャート。
【図７】この発明に係わる電子装置の動作を説明するために示す図。
【図８】この発明に係わる電子装置の他の実施の形態を概略的に示す回路ブロック図。
【図９】図８に示す電子装置の動作を説明するために示す図。
【符号の説明】
【００７９】
１００，８００…電子装置
１０１…電子機器群
１０２…ＤＶＤドライブ
１０３…ハードディスクドライブ
１０４…ビデオカセットレコーダ
１０５…アナログチューナ
１０６…デジタルチューナ
１０７…ゴースト除去回路
１０８…ＬＡＮアダプタ
１０９…ＥＰＧ回路
１１０…電源供給部
１１１…機器別電源供給手段
１１２…制御部
１１３…メモリ
１１４…機能操作設定表示部
１１５…受光部
１１６…リモートコントローラ
【図１】
2006236532.tif 000003
【図２】
2006236532.tif 000004
【図３】
2006236532.tif 000005
【図４】
2006236532.tif 000006
【図５】
2006236532.tif 000007
【図６】
2006236532.tif 000008
【図７】
2006236532.tif 000009
【図８】
2006236532.tif 000010
【図９】
2006236532.tif 000011